(57)【要約】    【課題】  内蔵アンテナと外部アンテナとの切り替えに関するユーザの作業負担を軽減することができる、小型かつ軽量そして安価に構成された受信装置を提供すること。    【解決手段】  受信装置は、装置内部に内蔵アンテナを有すると共に、着脱自在に構成された外部アンテナと、内蔵アンテナおよび外部アンテナを駆動するための電源を供給する電源部と、電源部から少なくとも外部アンテナに流れる電流を検出する電流検出手段と、電流検出手段により検出された電流の大きさに応じて、内蔵アンテナと外部アンテナのいずれか一方に選択的に電源を供給する切り替え手段と、を有する構成にした。【選択図】      図１
2006287298.tif 000002
【特許請求の範囲】
【請求項１】
装置内部に内蔵アンテナを有すると共に、
着脱自在に構成された外部アンテナと、
前記内蔵アンテナおよび前記外部アンテナを駆動するための電源を供給する電源部と、
前記電源部から少なくとも前記外部アンテナに流れる電流を検出する電流検出手段と、
前記電流検出手段により検出された電流の大きさに応じて、前記内蔵アンテナと前記外部アンテナのいずれか一方に選択的に電源を供給する切り替え手段と、を有することを特徴とする受信装置。
【請求項２】
請求項１に記載の受信装置において、
前記切り替え手段は、前記電源部と前記内蔵アンテナ間を接続することにより内蔵アンテナに切り替え、前記電源部と前記内蔵アンテナ間を切断することにより外部アンテナに切り替えることを特徴とする受信装置。
【請求項３】
請求項１または請求項２に記載の受信装置において、
前記内蔵アンテナおよび前記外部アンテナは、それぞれ、捕捉した電波に対応する電流を増幅する増幅部を有し、
前記電源部は、前記内蔵アンテナおよび前記外部アンテナにおける前記増幅部に電源を供給することを特徴とする受信装置。
【請求項４】
請求項１から請求項３のいずれかに記載の受信装置において、
前記切り替え手段は、前記外部アンテナが取り付けられている間は、前記外部アンテナに切り替えていることを特徴とする受信装置。
【請求項５】
請求項１から請求項４のいずれかに記載の受信装置において、
前記切り替え手段は、前記電流検出手段により検出される電流値が０である場合には前記内蔵アンテナに切り替えることを特徴とする受信装置。
【請求項６】
請求項１から請求項５のいずれかに記載の受信装置において、
前記電流検出手段は、前記電源部から前記内蔵アンテナおよび前記外部アンテナに流れる電流を検出し、
前記切り替え手段は、前記電流検出手段により検出される電流値が、前記内蔵アンテナに流れる電流の値と前記外部アンテナに流れる電流の値の和である場合には、前記外部アンテナに切り替えることを特徴とする受信装置。
【請求項７】
請求項１から請求項５のいずれかに記載の受信装置において、
前記切り替え手段は、前記電流検出手段により検出される電流値が、基準値よりも大きい場合には、前記外部アンテナに切り替えることを特徴とする受信装置。
【請求項８】
請求項７に記載の受信装置において、
前記電流検出手段は、前記電源部から前記内蔵アンテナおよび前記外部アンテナに流れる電流を検出し、
前記基準値は、前記内蔵アンテナに流れる電流の値であることを特徴とする受信装置。
【請求項９】
請求項１から請求項５のいずれかに記載の受信装置において、
前記電流検出手段は、前記電源部から前記外部アンテナに流れる電流のみを検出し、
前記切り替え手段は、前記電流検出手段により検出される電流値が０でない場合には前記外部アンテナに切り替えることを特徴とする受信装置。
【請求項１０】
請求項１から請求項９のいずれかに記載の受信装置において、
前記切り替え手段によって切り替えられたアンテナが捕捉した電波に基づく受信処理が行われるように装置全体を駆動制御する制御手段を、さらに有することを特徴とする受信装置。
【請求項１１】
装置内部に内蔵アンテナを有すると共に、着脱自在に構成された外部アンテナを有する受信装置におけるアンテナ切り替え方法であって、
電源部から少なくとも前記外部アンテナに流れる電流を検出する検出工程と、
前記検出工程によって検出された電流の大きさに応じて、前記内蔵アンテナと前記外部アンテナのいずれか一方に選択的に電源を供給する切り替え工程と、を含むことを特徴とするアンテナ切り替え方法。
【請求項１２】
請求項１１に記載のアンテナ切り替え方法において、
前記切り替え工程は、前記電源部と前記内蔵アンテナ間を接続することにより内蔵アンテナに切り替え、前記電源部と前記内蔵アンテナ間を切断することにより外部アンテナに切り替えることを特徴とするアンテナ切り替え方法。
【請求項１３】
請求項１１または請求項１２に記載のアンテナ切り替え方法において、
前記検出工程は、前記電源部から前記内蔵アンテナおよび前記外部アンテナに流れる電流を検出し、
前記切り替え工程は、検出された電流が０である場合には、前記内蔵アンテナに切り替え、検出された電流が前記内蔵アンテナに流れる電流の値と前記外部アンテナに流れる電流の値の和である場合には、前記外部アンテナに切り替えることを特徴とするアンテナ切り替え方法。
【請求項１４】
請求項１１または請求項１２に記載のアンテナ切り替え方法において、
前記検出工程は、前記電源部から前記内蔵アンテナおよび前記外部アンテナに流れる電流を検出し、
前記切り替え工程は、検出された電流が０である場合には、前記内蔵アンテナに切り替え、検出された電流が前記内蔵アンテナに流れる電流の値よりも大きい場合には、前記外部アンテナに切り替えることを特徴とするアンテナ切り替え方法。
【請求項１５】
請求項１１または請求項１２に記載のアンテナ切り替え方法において、
前記検出工程は、前記電源部から前記外部アンテナにのみ流れる電流を検出し、
前記切り替え工程は、検出された電流が０である場合には、前記内蔵アンテナに切り替え、検出された電流が０でない場合には、前記外部アンテナに切り替えることを特徴とするアンテナ切り替え方法。
【請求項１６】
請求項１１から請求項１５のいずれかに記載のアンテナ切り替え方法を、装置内部に内蔵されたアンテナと、着脱自在に構成された外部アンテナのいずれか一方を用いて受信する受信装置に実行させるアンテナ切り替えプログラム。
【請求項１７】
内蔵アンテナと、
着脱自在に構成された外部アンテナを接続するための接続部と、
前記内蔵アンテナおよび前記外部アンテナを駆動するための電源を供給する電源部と、
前記電源部から少なくとも前記外部アンテナに流れる電流を検出する電流検出手段と、
前記電流検出手段により検出された電流の大きさに応じて、前記内蔵アンテナと前記外部アンテナのいずれか一方に選択的に電源を供給する切り替え手段と、を有することを特徴とする携帯端末。
【発明の詳細な説明】
【技術分野】
【０００１】
この発明は、内蔵アンテナまたは外部アンテナを使用して電波を受信可能な受信装置に関する。
【背景技術】
【０００２】
従来、例えば、規格の異なる衛星放送からの電波を受信するため、二種類のアンテナを使用可能な受信装置が提案されている。このような受信装置としては、例えば下記の特許文献１の従来の技術の項に開示される。
【０００３】
【特許文献１】特開平１１−３３１７２０号公報
【０００４】
小型化・軽量化を図り、可搬性をもたせるために、上記のような受信装置の中には、本体内部にアンテナ（内蔵アンテナ）を備えると共に、必要に応じて外部アンテナを接続できるよう構成されたものがある。このような受信装置は、ユーザの移動中は、内蔵アンテナを使用して電波を受信し、ユーザが所定の場所に一定時間とどまった状態で装置を使用する場合には、外部アンテナを接続してしてより安定した、高感度状態で電波を受信することができる。
【０００５】
従来の受信装置においては、一般に、内蔵アンテナと外部アンテナの切り替えは、外部アンテナのコネクタを該装置に嵌め込むまたは取り外すことにより装置内部の機械的機構が作動することにより実行される。あるいは、該コネクタを装置に嵌め込んだ後または取り外した後、ユーザが受信装置に設けられたスイッチを操作することにより、切り替えが行われる。つまり、ユーザによる何らかの切り替えに関する作業が必須とされていた。
【０００６】
また、上記の切り替え機構を設けようとすると、受信装置の大型化、重量化をまねくと共に、コストアップに繋がる等の課題が指摘されており、さらなる改良が望まれていた。
【発明の開示】
【発明が解決しようとする課題】
【０００７】
上記事情に鑑み、本発明は、内蔵アンテナと外部アンテナとの切り替えに関するユーザの作業負担を軽減することができる、小型かつ軽量そして安価に構成された受信装置を提供することを目的とする。
【課題を解決するための手段】
【０００８】
このため、請求項１に記載の受信装置は、装置内部に内蔵アンテナを有すると共に、着脱自在に構成された外部アンテナと、内蔵アンテナおよび外部アンテナを駆動するための電源を供給する電源部と、電源部から少なくとも外部アンテナに流れる電流を検出する電流検出手段と、電流検出手段により検出された電流の大きさに応じて、内蔵アンテナと外部アンテナのいずれか一方に選択的に電源を供給する切り替え手段と、を有することを特徴とする。
【０００９】
請求項１に記載の受信装置によれば、アンテナの切り替えは切り替え手段によって自動的に実行される。従って、ユーザは単に外部アンテナの着脱のみを行えば良く、アンテナ切り替えのためのスイッチ等の機械的構成を必要とすることなく、アンテナ切り替えに関するユーザの作業負担を軽減することができる。また、アンテナ切り替えのための機構を必要としないため、装置の小型化、軽量化、コストダウンを達成することができる。
【００１０】
請求項２に記載の受信装置によれば、切り替え手段は、電源部と内蔵アンテナ間を接続することにより内蔵アンテナに切り替え、電源部と内蔵アンテナ間を切断することにより外部アンテナに切り替えることができる。
【００１１】
請求項３に記載の受信装置によれば、内蔵アンテナおよび外部アンテナは、それぞれ、捕捉した電波に対応する電流を増幅する増幅部を有し、内蔵アンテナおよび外部アンテナにおける各増幅部に、電源部により電流を供給することができる。
【００１２】
請求項４に記載の受信装置によれば、切り替え手段は、外部アンテナが取り付けられている間は、外部アンテナに切り替えていることを特徴とする受信装置。
【００１３】
請求項５に記載の受信装置によれば、切り替え手段は、電流検出手段により検出される電流値が０である場合には内蔵アンテナに切り替える。
【００１４】
また、請求項６に記載の受信装置によれば、電流検出手段は、電源部から内蔵アンテナおよび外部アンテナに流れる電流を検出して、切り替え手段は、電流検出手段により検出される電流値が、内蔵アンテナに流れる電流の値と外部アンテナに流れる電流の値の和である場合には、外部アンテナに切り替えるように構成することができる。
【００１５】
他にも、請求項７に記載の受信装置によれば、切り替え手段は、電流検出手段により検出される電流値が、基準値よりも大きい場合に、外部アンテナに切り替える構成であっても良い。より具体的には、電流検出手段を電源部から内蔵アンテナおよび外部アンテナに流れる電流を検出するような構成にした場合、該基準値としては、例えば、内蔵アンテナに流れる電流の値とすることができる（請求項８）。
【００１６】
請求項９に記載の受信装置によれば、電流検出手段は、電源部から外部アンテナに流れる電流のみを検出して、切り替え手段は、電流検出手段により検出される電流値が０でない場合には外部アンテナに切り替えるように構成することもできる。
【００１７】
請求項１０に記載の受信装置によれば、切り替え手段によって切り替えられたアンテナが捕捉した電波に基づく受信処理が行われるように装置全体を駆動制御する制御手段を、さらに有することができる。
【００１８】
請求項１１に記載のアンテナ切り替え方法は、装置内部に内蔵アンテナを有すると共に、着脱自在に構成された外部アンテナを有する受信装置におけるアンテナ切り替え方法であって、電源部から少なくとも外部アンテナに流れる電流を検出する検出工程と、検出工程によって検出された電流の大きさに応じて、内蔵アンテナと外部アンテナのいずれか一方に選択的に電源を供給する切り替え工程と、を含む。
【００１９】
より具体的には、検出工程は、電源部から内蔵アンテナおよび外部アンテナに流れる電流を検出し、切り替え工程は、検出された電流が０である場合には内蔵アンテナに切り替え、検出された電流が内蔵アンテナに流れる電流の値と外部アンテナに流れる電流の値の和である場合には外部アンテナに切り替える（請求項１３）。
【００２０】
また、検出工程は、電源部から内蔵アンテナおよび外部アンテナに流れる電流を検出し、切り替え工程は、検出された電流が０である場合には内蔵アンテナに切り替え、検出された電流が内蔵アンテナに流れる電流の値よりも大きい場合には外部アンテナに切り替える（請求項１４）。
【００２１】
また、検出工程は、電源部から外部アンテナにのみ流れる電流を検出し、切り替え工程は、検出された電流が０である場合には内蔵アンテナに切り替え、検出された電流が０でない場合には外部アンテナに切り替える。
【発明の効果】
【００２２】
このように本発明に係る受信装置は、アンテナの切り替えに際して、機械的機構を使用せずに自動的に内蔵・外部アンテナを切り替える構成としたことにより、ユーザの作業負担を軽減することができ、かつ、小型化、軽量化、コストダウンが達成されると同時に、装置内部の設計自由度も高めることができる。
【発明を実施するための最良の形態】
【００２３】
図１は本発明の実施形態の受信装置１００の概略構成を示すブロック図である。受信装置１００は、可搬性のある携帯端末１０と該携帯端末に着脱自在に構成される外部アンテナ２０からなる。
【００２４】
携帯端末１０は、システムコントローラ１、内蔵アンテナ２、電源３、電流検出回路４、切り替えスイッチ５を有する。
【００２５】
システムコントローラ１は、切り替えスイッチ５を用いて内蔵アンテナ２と外部アンテナ２０の切り替え処理を行う他、受信装置１００全体を駆動制御する。該切り替え処理については後に詳述する。
【００２６】
内蔵アンテナ２は、電波を捕捉する電波捕捉用端子２ａと該電波捕捉用端子２ａにより捕捉された電波を所定レベルまで増幅するアンプ２ｂからなるアクティブアンテナである。外部アンテナ２０も内蔵アンテナ２と同様に、電波捕捉用端子２０ａとアンプ２０ｂからなるアクティブアンテナである。
【００２７】
電源３は、内蔵アンテナ２が有するアンプ２ｂや外部アンテナ２０が有する２０ｂに電源を供給するために設けられている。電流検出回路４は、電源３と内蔵アンテナ２間、および外部アンテナ２０装着時にはさらに電源３と外部アンテナ２０間に配設されている。つまり、電流検出回路４は、電源３から各アンテナ内にあるアンプ２ｂ、２０ｂに流れる電流の値を検出している。切り替えスイッチ５は、電流検出回路４と内蔵アンテナ２間に配設されている。切り替えスイッチ５は、システムコントローラ１の制御下、電流検出回路４と内蔵アンテナ２間を電気的に切断または接続する。
【００２８】
外部アンテナ２０は、携帯端末１０に着脱自在に構成される。本実施形態では、外部アンテナ２０は、携帯端末１０を所定の姿勢で固定するクレードル２１に配設されていると想定する。つまり、携帯端末１０をクレードル２１に着脱することにより、外部アンテナ２０の携帯端末１０に対する着脱も同時に行われる。但し、携帯端末１０と外部アンテナ２０の接続は、上記に限定されるものではなく、例えば、外部アンテナ２０は、携帯端末１０における図示しないコネクタに直接接続するものであってもよい。
【００２９】
なお、本実施形態の受信装置１００において、内蔵アンテナ２が捕捉可能な電波の帯域と、外部アンテナ２０が捕捉可能な電波の帯域は同一であっても異なるものであってもよい。各アンテナ２、２０で異なる帯域にある電波を受信する構成であれば、例えば複数の放送サービス（メディア）を単一の受信装置で視聴可能になる。また各アンテナ２、２０で同一の帯域にある電波を受信する構成であれば、移動時には可搬性を重視して内蔵アンテナにより電波を受信し、非移動時には外部アンテナを装着することにより受信感度を向上させることが可能になる。
【００３０】
受信装置１００は、外部アンテナ２０が携帯端末１０に装着されているときには外部アンテナ２０を優先的に使用する。また受信装置１００は、外部アンテナ２０が携帯端末１０から取り外されているときには内蔵アンテナ２を使用する。このように受信装置１００は、外部アンテナ２０が装着されているか否かに応じて、使用するアンテナを自動的に切り替えている。
【００３１】
以下、システムコントローラ１によるアンテナの切り替え処理について詳述する。図２は、各アンテナの切り替え処理に関するフローチャートである。この処理は、携帯端末１０に電源が投入されると、所定の間隔で繰り返し実行される処理である。システムコントローラ１は、切り替え処理を実行するにあたり、アンプ２ｂに電源供給することにより電流検出回路４によって検出される設計上の電流値Ｉｉｎ、およびアンプ２０ｂに電源供給することにより電流検出回路４によって検出される設計上の電流値Ｉｅｘに関するデータを予め保有している。ここで、一般に、内蔵アンテナ２および外部アンテナ２０によって捕捉される電波が同一の帯域にある場合、内蔵アンテナ２および外部アンテナ２０の構成は略同一となる。つまり、アンプ２ｂとアンプ２０ｂは略同一構成となるため、各アンプを駆動するために必要な電流値は等しく（Ｉｉｎ＝Ｉｅｘ）なる。なお、携帯端末１０の電源投入直後は、切り替えスイッチ５はオンとなっており、内蔵アンテナ２と外部アンテナ２０（接続されていれば）の両者に電源が供給されるようになっている。
【００３２】
外部アンテナ２０を装着しない状態でユーザが携帯端末１０の主電源をオンにすると、電源３からアンプ２ｂに電源が供給される。従って、電源３からアンプ２ｂに流れる電流が電流検出回路４によって検出される。システムコントローラ１は、検出された電流値が、設計上、アンプ２ｂに電源供給することにより流れるであろう電流の値Ｉｉｎと等しいと判断すると（Ｓ１：ＹＥＳ）、内蔵アンテナ２によって捕捉され、増幅された電波を用いて受信処理を行う。
【００３３】
なお、より厳密には、温度変化等、受信装置１００がおかれた環境の変化によって、電流検出回路４で検出される電流値が必ずしも設計上の電流値と一致するとは限らない。しかし、その誤差は極めて微少であり、Ｓ１における判断はそのような誤差を包含するものとする。
【００３４】
内蔵アンテナ２を使用した電波の受信中、ユーザが任意のタイミングで携帯端末１０をクレードル２１に固定すると、外部アンテナ２０が携帯端末１０に装着される。外部アンテナ２０が携帯端末１０に装着されると、電源３から外部アンテナ２０のアンプ２０ｂに電源が供給されるため、電流検出回路４により検出される電流値が変化し、Ｉｉｎと一致しなくなる（Ｓ１：ＮＯ）。そこで、システムコントローラ１は、電流検出回路４により検出される電流値がＩｉｎからＩｉｎ＋Ｉｅｘに変化したかどうか判断する（Ｓ３）。Ｓ３において、電流検出回路４により検出される電流値がＩｉｎ＋Ｉｅｘであると判断すると（Ｓ３：ＹＥＳ）、システムコントローラ１は、外部アンテナ２０が適正に携帯端末１０に装着されたと判断し、使用するアンテナを内蔵アンテナ２から外部アンテナ２０に切り替える。具体的には、システムコントローラ１は、切り替えスイッチ５をオフする（Ｓ５）。なお、Ｓ３の判断においても、環境変化等に起因する電流値の若干の誤差は包含されるものとする。
【００３５】
切り替えスイッチ５がオフされると、電源３から内蔵アンテナ２のアンプ２ｂに対する電源供給はなくなる。一方、外部アンテナ２０と電流検出回路４との間にはスイッチはなく、外部アンテナ２０が携帯端末１０に接続されている限り、電源３からアンプ２０ｂには常に電源が供給される。従って、外部アンテナ２０が接続され、かつ切り替えスイッチ５がオフされると、電流検出回路４に流れる電流は、外部アンテナ２０のアンプ２０ｂに与えられるものだけとなる。つまり、電流検出回路４で検出される電流値は、Ｉｅｘとなる。
【００３６】
システムコントローラ１は、電流検出回路４で検出される電流値がＩｅｘである限り、外部アンテナ２０によって捕捉、増幅された電波を用いて受信処理を行う（Ｓ７：ＮＯ）。
【００３７】
外部アンテナ２０を使用して電波を受信している最中に、ユーザが携帯端末１０から外部アンテナ２０を取り外すと（携帯端末１０をクレードル２１から取り外すと）、電源３の電源供給対象が存在しない状態になる。つまり、電流検出回路４で検出される電流値は０になる。システムコントローラ１は、電流検出回路４で検出される電流値が０になったと判断すると（Ｓ７：ＹＥＳ）、切り替えスイッチ５を再びオンとする（Ｓ９）。これにより、電源３からアンプ２ｂに対して電源供給が再開される。そして、システムコントローラ１は、内蔵アンテナ２を使用して電波を受信する。
【００３８】
なお、携帯端末１０に外部アンテナ２０を装着した状態で携帯端末１０の主電源をオンにした場合、システムコントローラ１は、Ｓ１の処理でＮＯ、Ｓ３の処理でＹＥＳという判断を介して、Ｓ５で切り替えスイッチ５をオフする。
【００３９】
以上が本実施形態の受信装置１００の主たる特徴であるアンテナの自動切り替え処理についての説明である。なお、受信装置１００におけるアンテナの自動切り替え処理は上述した内容に限定されず、例えば図３を参照しつつ以下に説明する変形例のような処理であっても良い。
【００４０】
図３は、各アンテナの切り替え処理の変形例に関するフローチャートである。図３に示すフローチャートでは、システムコントローラ１は、電流検出回路４で検出された電流値の判断に関するステップはＳ３１とＳ３３の二種類しか有しない。Ｓ３１は、電流検出回路４で検出される電流値が０になったかどうかを判断するステップであり、Ｓ３３は、電流検出回路４で検出される電流値が所定の閾値Ｉｔｈよりも大きいかどうかを判断するステップである。所定の閾値Ｉｔｈは、Ｉｉｎ以上であってかつＩｉｎ＋Ｉｅｘよりも小さく設定される。
【００４１】
図３に示すフローチャートによれば、システムコントローラ１は、Ｓ３１において、電流検出回路４で検出される電流値が０になったと判断すると（Ｓ３１：ＹＥＳ）、上記Ｓ９と同様に、切り替えスイッチ５をオンにする（Ｓ３７）。そして、内蔵アンテナ２のアンプ２ｂに電源を供給し、内蔵アンテナ２を使用して電波を受信する。
【００４２】
また、電流検出回路４で検出される電流値が０ではない場合（Ｓ３１：ＮＯ）、システムコントローラ１は、次いでＳ３３に進む。そして、Ｓ３３において、電流検出回路４で検出される電流値が所定の閾値Ｉｔｈよりも大きいと判断すると（Ｓ３３：ＹＥＳ）、システムコントローラ１は、上記Ｓ５と同様に、切り替えスイッチ５をオフし、外部アンテナ２０に切り替える（Ｓ３５）。
【００４３】
電流検出回路４で検出される電流値が０ではなく、かつ所定の閾値Ｉｔｈ以下であると判断すると（Ｓ３１：ＮＯ、Ｓ３３：ＮＯ）、システムコントローラ１は、携帯端末１０に外部アンテナ２０は装着されていない状態と判断し、内蔵アンテナ２を用いた電波の受信処理を継続する。
【００４４】
さらに、図２や図３に示すフローチャートは、電流検出回路４が、電源３から各アンテナ内にあるアンプ２ｂ、２０ｂに流れる電流の値を検出する構成を想定している。しかし、電流検出回路４は、外部アンテナ２０のアンプ２０ｂに流れる電流の値のみを検出する構成であっても良い。外部アンテナ２０のアンプ２０ｂに流れる電流の値のみを検出する構成の電流検出回路４を使用する場合の各アンテナの切り替え処理に関するフローチャートを図４に示す。
【００４５】
図４に示すフローチャートによれば、システムコントローラ１０は、Ｓ５１において電流検出回路４で検出される電流値が０になったか否かを判断する。そして、電流値が０であると判断すると（Ｓ５１：ＹＥＳ）、システムコントローラ１０は、外部アンテナ２０が取り外されていると判断し、上記Ｓ９、Ｓ３７と同様に、切り替えスイッチ５をオンにする（Ｓ５３）。そして、内蔵アンテナ２のアンプ２ｂに電源を供給し、内蔵アンテナ２を使用して電波を受信する。
【００４６】
また、電流値が０でないと判断すると（Ｓ５１：ＮＯ）、システムコントローラ１０は、外部アンテナ２０が携帯端末１０に接続されていると判断し、上記Ｓ５、Ｓ３５と同様に切り替えスイッチ５をオフし、外部アンテナ２０に切り替える（Ｓ５５）。
【００４７】
以上が本発明の実施形態である。本発明に係る光情報再生装置は、上記実施形態に限定されるものではなく、以下に例示するような変形を行っても上記と同様の効果を奏することができる。
【００４８】
例えば、上記実施形態では、図３に示すフローチャートにおいて、Ｓ３３とＳ３１のステップを置換することも可能である。
【図面の簡単な説明】
【００４９】
【図１】本発明の実施形態の受信装置の概略構成を表すブロック図である。
【図２】実施形態の受信装置のアンテナを自動的に切り替える処理の流れを示すフローチャートである。
【図３】実施形態の受信装置のアンテナを自動的に切り替える処理の流れを示すフローチャートである。
【図４】実施形態の受信装置のアンテナを自動的に切り替える処理の流れを示すフローチャートである。
【符号の説明】
【００５０】
１０  携帯端末
１  システムコントローラ
２  内蔵アンテナ
２ｂ  アンプ
３  電源
４  電流検出回路４
５  切り替えスイッチ
２０  外部アンテナ
２ｂ  アンプ
１００  受信装置
【図１】
2006287298.tif 000003
【図２】
2006287298.tif 000004
【図３】
2006287298.tif 000005
【図４】
2006287298.tif 000006